(57)【要約】【課題】操作面と横方向の配線用遮断器の収納効率を向上することが可能な分電盤を得る。【解決手段】この発明に係る分電盤１は、ユニット室２に設置され、このユニット室２の前面２ａ外側から操作される複数の配線用遮断器４と、配線用遮断器４の操作面４ａに設けられた操作レバーを操作して配線用遮断器４を開閉するためのレバー６とを備えている。配線用遮断器４は、操作面４ａが前面２ａと垂直にかつ横方向に並んでユニット室２に配置されている。レバー６は、前面２ａを貫通し、この前面２ａ外側で操作できるようになっている。【選択図】図１
2005295664.tif 000002
【特許請求の範囲】
【請求項１】
ユニット室内に複数個収納され、各操作面から操作レバーが突出した配線用遮断器と、前記操作レバーと前記ユニット室の前面から露出した操作部とを駆動可能に接続する操作駆動手段とを備え、
各前記配線用遮断器は、各前記操作面が前記ユニット室の前面に対して垂直にかつ横方向に並んで設置されていることを特徴とする分電盤。
【請求項２】
前記操作駆動手段は、一端部が前記操作レバーに設けられ他端部が前記ユニット室の前面から露出し、往復動操作により前記操作レバーを作動させるレバーであることを特徴とする請求項１に記載の分電盤。
【請求項３】
前記操作駆動手段は、前記ユニット室の前面から露出した操作手段と、この操作手段の駆動部と前記操作レバーとを駆動可能に接続した駆動力伝達手段とを有することを特徴とする請求項１に記載の分電盤。
【請求項４】
前記ユニット室に前記ユニット室の前面側で隣接した配線室には、各前記配線用遮断器に接続されているとともに、外部ケーブルにも接続される端子台が設置されていることを特徴とする請求項１に記載の分電盤。
【発明の詳細な説明】
【技術分野】
【０００１】
この発明は、複数の配線用遮断器を備えた分電盤に関するものである。
【背景技術】
【０００２】
従来の分電盤には、漏電や過電流を検出して電路を遮断する配線用遮断器を備え、この配線用遮断器を開閉するための操作面が分電盤前面と平行になるように配置されているものがある（例えば、特許文献１参照）。
【０００３】
【特許文献１】特開平７−４６７２３号公報（第２頁−第５頁、第３図）
【発明の開示】
【発明が解決しようとする課題】
【０００４】
しかし、上記分電盤によれば、直方体形状の配線用遮断器は、操作面の面積が側面の面積よりも大きい形状をしており、分電盤前面に対して複数個の配線用遮断器をその操作面と対面して配置しており、その横方向の配線用遮断器の収納効率が低いという問題点があった。
【０００５】
この発明は、上記のような問題点を解決することを課題とするものであって、分電盤前面において横方向の配線用遮断器の収納効率を向上させることが可能な分電盤を得ることを目的とするものである。
【課題を解決するための手段】
【０００６】
この発明に係る分電盤は、ユニット室内に複数個収納され、各操作面から操作レバーが突出した配線用遮断器と、一端部が操作レバーに設けられ他端部がユニット室の前面から露出し往復動操作により操作レバーを作動させるレバーとを備え、各配線用遮断器は、各操作面が前面に対して垂直にかつ横方向に並んで設置されていることを特徴とする。
【発明の効果】
【０００７】
この発明に係る分電盤によれば、各操作面から操作レバーが突出した配線用遮断器と、往復動操作により操作レバーを作動させるレバーとを備えており、各配線用遮断器は、各操作面が前面に対して垂直にかつ横方向に並んで設置されているので、分電盤の前面である操作面と横方向の配線用遮断器の収納効率を向上させることができる効果がある。
【発明を実施するための最良の形態】
【０００８】
実施の形態１．
以下、この発明の実施の形態について図に基づいて説明するが、各図において、同一または相当部材、部位については同一符号を付して説明する。図１は、この発明の実施の形態１による分電盤を前面から見た内部構成を示す断面図であり、図２は、図１の分電盤のＡ−Ａ線に沿った矢視断面図である。
【０００９】
図１および図２に示すように、箱状の分電盤１は、この分電盤１の前面部を前面２ａとし、複数の仕切板１ａにより上下方向に複数仕切られたユニット室２と、このユニット室２と内壁３ａを介して前面２ａ側で隣接するとともに分電盤１の上下方向に延設され、外線ケーブル（図示せず）を接続するための配線室３とを備えている。
【００１０】
各ユニット室２には、各操作面４ａから操作レバー５が突出した複数の配線用遮断器４が設けられている。この配線用遮断器４は、操作面４ａが前面２ａと垂直になるとともに、各々の操作面４ａが平行になるように横一列に並んでＬ字状の取付金具１ｂによりユニット室２の仕切板１ａに固定されている。
往復動操作により操作レバー５を作動させる操作駆動手段であるレバー６が、摺動性の良い樹脂等により構成されるとともに、一端部がこの操作レバー５に他端部がユニット室２の前面２ａから露出するように設けられている。このレバー６が貫通するとともにレバー６を摺動可能に支持するガイド７が、仕切板１ａに固定されている。このガイド７は、鉄板で構成されている。
ユニット室２の前面２ａには、この前面２ａを覆って外部とユニット室２の内部を電気的に遮蔽する遮蔽カバー８が配置されている。この遮蔽カバー８には、レバー６が貫通し、このレバー６を摺動可能に支持するガイドとして機能する開口部が設けられている。
【００１１】
配線室３には、配線用遮断器４に電線９により電気的に接続されているとともに、外線ケーブルを分電盤１の前面から接続可能な端子台１０が設置されている。
【００１２】
図３は、図２の分電盤の配線用遮断器４が開状態を示すＢ−Ｂ線に沿った矢視断面図である。
図３に示すように、レバー６の一端部に形成された孔６ａに操作レバー５が挿入されており、レバー６がガイド７で支持されながら摺動し、このレバー６の動作に連動して操作レバー５が回動操作されるようになっている。
この操作レバー５は分電盤１の奥に倒されており、配線用遮断器４が開状態となっている。この開状態ではレバー６に印された「ＯＮ」表示が外部から隠れて視認できないようになっている。
【００１３】
図４は、図２の分電盤の配線用遮断器４が閉状態を示すＣ−Ｃ線に沿った矢視断面図である。図４に示すように、レバー６が前面に引出された状態であり、配線用遮断器４が閉状態である。この閉状態ではレバー６に印された「ＯＮ」表示が外部から視認できるようになっている。
【００１４】
次に、分電盤１の操作方法について説明する。
図３の配線用遮断器４の開状態から、作業者の操作により、レバー６が引き出されて摺動するのに連動して操作レバー５が操作され、図４に示すように配線用遮断器４が閉状態になる。
また、図４の配線用遮断器４の閉状態から、作業者の操作により、レバー６が押されて摺動するのに連動して操作レバー５が操作され、図３に示すように配線用遮断器４が開状態になる。
【００１５】
以上のように、この実施の形態１の分電盤１によれば、ユニット室２内に複数個収納され、各操作面４ａから操作レバー５が突出した配線用遮断器４と、往復動操作により操作レバー５を作動させるレバー６とを備えており、各配線用遮断器４は、各操作面４ａが前面２ａに対して垂直にかつ横方向に並んで設置されているので、ユニット室２の前面２ａと横方向の配線用遮断器４の収納効率を向上させることができる効果がある。
【００１６】
また、外線ケーブルを接続するための端子台１０がユニット室２とは別に設けられた配線室３に配置されているので、ユニット室２内部の他の配線等に配慮する必要がなく、さらに、配線室３がユニット室２に前面側で隣接しているので、分電盤１の前面部から端子台１０の配線作業が可能となり、配線作業の効率化を図ることができる。
【００１７】
実施の形態２．
なお、上記実施の形態１では、操作レバー５を作動させる操作駆動手段としてレバー６を用いたが、操作駆動手段としてレバーとリンク機構を用いてもよい。以下、この操作駆動手段の構成が異なるこの発明の実施の形態２の分電盤について説明する。なお、分電盤１の他の構成については、実施の形態１と同様である。
【００１８】
この発明の実施の形態２について、図に基づいて説明する。図５は、この発明の実施の形態２による分電盤の配線用遮断器が閉状態を示す断面図である。図６は、図５の分電盤の正面図である。
図５に示すように、操作レバー５を作動させる操作駆動手段は、この操作レバー５に接続された駆動力伝達手段と、この駆動力伝達手段に駆動部である一端部が接続されるとともに他端部が遮蔽カバー８を貫通し、軸１３ａを中心に回動し駆動力伝達手段を動作させる操作手段であるレバー１３とを有する。
この駆動力伝達手段は、操作レバー５が挿入れた孔１１ａを有するとともに一端部に設けられた軸１１ｂを中心に回動して操作レバー５を切換えるリンク１１と、このリンク１１の他端部に接続されたシャフト１２とを含む。
【００１９】
図６に示すように、レバー１３の他端部が上方向に倒された状態であり、配線用遮断器４が閉状態である。この閉状態では、レバー１３の他端部が遮蔽カバー８に印された「ＯＮ」表示に隣接するようになっている。
【００２０】
図７は、この発明の実施の形態２による分電盤の配線用遮断器が開状態（ＯＦＦ）を示す断面図である。図８は、図７の分電盤の正面図である。
図８に示すように、レバー１３の他端部が上方向に倒された状態であり、配線用遮断器４が閉状態である。この閉状態では、レバー１３の他端部が遮蔽カバー８に印された「ＯＦＦ」表示に隣接するようになっている。
【００２１】
次に、分電盤１の操作方法について説明する。
図７、８の配線用遮断器４の開状態（ＯＦＦ）から、作業者の操作により、レバー１３が上方向に倒されて回動するのに連動して、シャフト１２およびリンク１１が動作することにより操作レバー５が操作され、図５、６に示すように配線用遮断器４が閉状態（ＯＮ）になる。
また、図５、６の配線用遮断器４の閉状態（ＯＮ）から、作業者の操作により、レバー１３が下方向に倒されて回動するのに連動して、シャフト１２およびリンク１１が動作することにより操作レバー５が操作され、図７、８に示すように配線用遮断器４が開状態（ＯＦＦ）になる。
【００２２】
以上のように、この実施の形態２の分電盤１によれば、実施の形態１と同様に、各配線用遮断器４は、各操作面４ａが前面２ａに対して垂直にかつ横方向に並んで設置されているので、ユニット室２の前面２ａと横方向の配線用遮断器４の収納効率を向上させることができる効果がある。
【００２３】
実施の形態３．
なお、上記実施の形態２では、レバー１３の駆動をリンク１１に伝える手段にシャフト１２を用いたが、片方向形プッシュプルケーブルを用いてもよい。以下、この操作駆動手段の構成が異なるこの発明の実施の形態３の分電盤について説明する。なお、分電盤１の他の構成については、実施の形態２と同様である。
【００２４】
この発明の実施の形態３について、図に基づいて説明する。図９は、この発明の実施の形態３による分電盤の配線用遮断器を示す断面図である。
図９に示すように、操作レバー５を作動させる操作駆動手段は、レバー１３の駆動をリンク１１に伝え、このリンク１１とともに駆動力伝達手段を構成する片方向形のプッシュプルケーブル１５、１７を有する。
このプッシュプルケーブル１５は、一端部を支持板１４ａにより他端部を支持板１４ｂにより支持されている。このプッシュプルケーブル１５内には、一端部がレバー１３に他端部がリンク１１に接続されたインナーケーブル１５ａが摺動可能に収納されている。
また、プッシュプルケーブル１７は、一端部を支持板１６ａにより他端部を支持板１６ｂにより支持されている。このプッシュプルケーブル１７内には、一端部がレバー１３に他端部がリンク１１に接続されたインナーケーブル１７ａが摺動可能に収納されている。
【００２５】
次に、分電盤１の操作方法について説明する。
図９の配線用遮断器４の閉状態（ＯＮ）から、作業者の操作により、レバー１３が下方向に倒されて回動するのに連動して、インナーケーブル１７ａが摺動しリンク１１が動作することにより操作レバー５が操作され、配線用遮断器４が開状態（ＯＦＦ）になる。このとき、リンク１１の動作に連動してインナーケーブル１５ａも摺動する。
【００２６】
また、配線用遮断器４の開状態（ＯＦＦ）から、作業者の操作により、レバー１３が上方向に倒されて回動するのに連動して、インナーケーブル１５ａが摺動しリンク１１が動作することにより操作レバー５が操作され、配線用遮断器４が閉状態（ＯＮ）になる。このとき、リンク１１の動作に連動してインナーケーブル１７ａも摺動する。
【００２７】
以上のように、この実施の形態３の分電盤１によれば、実施の形態２と同様に、各配線用遮断器４は、各操作面４ａが前面２ａに対して垂直にかつ横方向に並んで設置されているので、ユニット室２の前面２ａと横方向の配線用遮断器４の収納効率を向上させることができる効果がある。
【００２８】
実施の形態４．
なお、上記実施の形態３では、操作レバー５を作動させる操作駆動手段に片方向形のプッシュプルケーブルを用いたが、両方向形のプッシュプルケーブルを用いてもよい。以下、プッシュプルケーブルの構成が異なるこの発明の実施の形態４の分電盤について説明する。なお、分電盤１の他の構成については、実施の形態２と同様である。
【００２９】
この発明の実施の形態４について、図に基づいて説明する。図１０は、この発明の実施の形態による分電盤の配線用遮断器を示す断面図である。
図１０に示すように、操作レバー５を作動させる操作駆動手段は、レバー１３の駆動をリンク１１に伝え、このリンク１１とともに駆動力伝達手段を構成する両方向形のプッシュプルケーブル１８を有する。
このプッシュプルケーブル１８は、一端部を支持板１９ａにより他端部を支持板１９ｂにより支持されている。このプッシュプルケーブル１８内には、一端部がロッド２１ａに他端部がロッド２１ｂに接続されたインナーケーブル（図示せず）が摺動可能に収納されている。
【００３０】
ロッド２１ａは、レバー１３に接続されており、プッシュプルケーブル１８の一端部に設けられたガイド２０ａ内を摺動するようになっている。ロッド２１ｂは、リンク１１に接続されており、プッシュプルケーブル１８の他端部に設けられたガイド２０ｂ内を摺動するようになっている。
【００３１】
次に、分電盤１の操作方法について説明する。
図１０の配線用遮断器４の閉状態（ＯＮ）から、作業者の操作により、レバー１３が下方向に倒されて回動するのに連動して、ロッド２１ａ、２１ｂが摺動しリンク１１が動作することにより操作レバー５が操作され、配線用遮断器４が開状態（ＯＦＦ）になる。
【００３２】
また、配線用遮断器４の開状態（ＯＦＦ）から、作業者の操作により、レバー１３が上方向に倒されて回動するのに連動して、ロッド２１ａ、２１ｂが摺動しリンク１１が動作することにより操作レバー５が操作され、配線用遮断器４が閉状態（ＯＮ）になる。
【００３３】
以上のように、この実施の形態４の分電盤１によれば、実施の形態３と同様に、ユニット室２の前面２ａと横方向の配線用遮断器４の収納効率を向上させることができる効果がある。
【００３４】
実施の形態５．
なお、上記実施の形態３では、操作レバー５を作動させる操作駆動手段にレバー１３を用いたが、作業者が操作するこのレバー１３の代わりに回転ハンドルを用いてもよい。以下、作業者が操作するための構成が異なるこの発明の実施の形態５の分電盤について説明する。なお、分電盤１の他の構成については、実施の形態３と同様である。
【００３５】
この発明の実施の形態５について、図に基づいて説明する。図１１は、この発明の実施の形態による分電盤の配線用遮断器を示す断面図である。図１２は、図１１の分電盤の配線用遮断器が閉状態（ＯＮ）を示す正面図である。図１３は、図１１の配線用遮断器が開状態（ＯＦＦ）を示す図である。
【００３６】
図１１に示すように、操作レバー５を作動させる操作駆動手段は、インナーケーブル１５ａ、１７ａが取付点２０ａで取付けられた操作手段である回転ハンドル２０を有する。この回転ハンドル２３は、作業者の操作により、遮蔽カバー８に垂直な軸を中心として回転するようになっており、この回転動作によりインナーケーブル１５ａ、１７ａが摺動するようになっている。
【００３７】
図１２の配線用遮断器４の閉状態（ＯＮ）から、作業者の操作により、回転ハンドル２０が反時計回りに回動するのに連動して、インナーケーブル１７ａが摺動しリンク１１が動作することにより操作レバー５が操作され、図１３の配線用遮断器４が開状態（ＯＦＦ）になる。このとき、リンク１１の動作に連動してインナーケーブル１５ａも摺動する。
【００３８】
また、図１３に示すように、配線用遮断器４の開状態（ＯＦＦ）から、作業者の操作により、回転ハンドル２０が時計回りに回動するのに連動して、インナーケーブル１５ａが摺動しリンク１１が動作することにより操作レバー５が操作され、配線用遮断器４が閉状態（ＯＮ）になる。このとき、リンク１１の動作に連動してインナーケーブル１７ａも摺動する。
【００３９】
以上のように、この実施の形態５の分電盤１によれば、実施の形態３と同様に、ユニット室２の前面２ａと横方向の配線用遮断器４の収納効率を向上させることができる効果がある。
【００４０】
実施の形態６．
なお、上記実施の形態４では、操作レバー５を作動させる操作駆動手段にレバー１３を用いたが、作業者が操作するこのレバー１３の代わりに回転ハンドルを用いてもよい。以下、この作業者が操作するための構成が異なるこの発明の実施の形態６の分電盤について説明する。なお、分電盤１の他の構成については、実施の形態４と同様である。
【００４１】
この発明の実施の形態６について、図に基づいて説明する。図１４は、この発明の実施の形態による分電盤の配線用遮断器を示す断面図である。
図１４に示すように、操作レバー５を作動させる操作駆動手段は、両方向形のプッシュプルケーブル１８に接続されたアーム部２２ａを有する操作手段である回転ハンドル２２を備えている。
【００４２】
次に、分電盤１の操作方法について説明する。
図１５の配線用遮断器４の閉状態（ＯＮ）から、作業者の操作により、回転ハンドル２２が操作されアーム部２２ａが回動するのに連動して、ロッド２１ａ、２１ｂが摺動しリンク１１が動作することにより操作レバー５が操作され、配線用遮断器４が開状態（ＯＦＦ）になる。
【００４３】
また、配線用遮断器４の開状態（ＯＦＦ）から、作業者の操作により、回転ハンドル２２が操作されアーム部２２ａが回動するのに連動して、ロッド２１ａ、２１ｂが摺動しリンク１１が動作することにより操作レバー５が操作され、配線用遮断器４が閉状態（ＯＮ）になる。
【００４４】
以上のように、この実施の形態６の分電盤１によれば、実施の形態４と同様に、ユニット室２の前面２ａと横方向の配線用遮断器４の収納効率を向上させることができる効果がある。
【図面の簡単な説明】
【００４５】
【図１】この発明の実施の形態１による分電盤を前面から見た内部構成を示す断面図である。
【図２】図１の分電盤のＡ−Ａ線に沿った矢視断面図である。
【図３】図２の分電盤の配線用遮断器が開状態を示すＢ−Ｂ線に沿った矢視断面図である。
【図４】図２の分電盤の配線用遮断器が閉状態を示すＣ−Ｃ線に沿った矢視断面図である。
【図５】この発明の実施の形態２による分電盤の配線用遮断器が開状態を示す断面図である。
【図６】図５の分電盤の正面図である。
【図７】この発明の実施の形態２による分電盤の配線用遮断器が閉状態を示す図である。
【図８】図７の分電盤の正面図である。
【図９】この発明の実施の形態３による分電盤の配線用遮断器を示す断面図である。
【図１０】この発明の実施の形態４による分電盤の配線用遮断器を示す断面図である。
【図１１】この発明の実施の形態５による分電盤の配線用遮断器が閉状態を示す断面図である。
【図１２】図１１の分電盤の配線用遮断器が閉状態を示す正面図である。
【図１３】図１１の分電盤の配線用遮断器が開状態を示す正面図である。
【図１４】この発明の実施の形態６による分電盤の配線用遮断器が閉状態を示す断面図である。
【図１５】図１４の分電盤の回転ハンドルの正面図である。
【符号の説明】
【００４６】
１  分電盤、２  ユニット室、２ａ  前面、３  配線室、４  配線遮断器、４ａ  操作面、５  操作レバー、６  レバー（操作駆動手段）、１０  端子台、１１  リンク（駆動力伝達手段）、１２  シャフト（駆動力伝達手段）、１３  レバー（操作手段）、１５、１７、１８  プッシュプルケーブル（駆動力伝達手段）、２０、２２  回転ハンドル（操作手段）。
【図１】
2005295664.tif 000003
【図２】
2005295664.tif 000004
【図３】
2005295664.tif 000005
【図４】
2005295664.tif 000006
【図５】
2005295664.tif 000007
【図６】
2005295664.tif 000008
【図７】
2005295664.tif 000009
【図８】
2005295664.tif 000010
【図９】
2005295664.tif 000011
【図１０】
2005295664.tif 000012
【図１１】
2005295664.tif 000013
【図１２】
2005295664.tif 000014
【図１３】
2005295664.tif 000015
【図１４】
2005295664.tif 000016
【図１５】
2005295664.tif 000017